(57)【要約】【課題】開放操作片をロックすることにより、蓋体の不用意な開放を防止することができる蓋体の開閉構造を提供すること。【解決手段】容器本体１の開口部２に蓋体３を揺動可能に取り付け、蓋体３の揺動側を容器本体１に掛止することにより閉蓋するとともに、蓋体３の掛止部４の近傍を、容器本体１に軸支した開放操作片５の受け片６で受け、開放操作片５の揺動操作により押し出すようにした蓋体３の開閉構造において、開放操作片５の揺動軸７を枢支する容器本体１の軸受穴８を開放操作片５の受け片６側に延長するとともに、開放操作片５の揺動軸７を軸受穴８の延長部８１に移動したときに開放操作片５の受け片６が挿入される受け片受入部９を容器本体１に形成する。【選択図】図１
2008143575.tif 000002
【特許請求の範囲】
【請求項１】
容器本体の開口部に蓋体を揺動可能に取り付け、該蓋体の揺動側を容器本体に掛止することにより閉蓋するとともに、該蓋体の掛止部の近傍を、容器本体に軸支した開放操作片の受け片で受け、該開放操作片の揺動操作により押し出すようにした蓋体の開閉構造において、開放操作片の揺動軸を枢支する容器本体の軸受穴を開放操作片の受け片側に延長するとともに、該開放操作片の揺動軸を軸受穴の延長部に移動したときに開放操作片の受け片が挿入される受け片受入部を容器本体に形成したことを特徴とする蓋体の開閉構造。
【請求項２】
開放操作片の揺動軸を枢支する容器本体の軸受穴の一方のみに開放操作片の受け片側に延長する延長部を形成したことを特徴とする請求項１記載の蓋体の開閉構造。
【請求項３】
軸受穴と延長部の間に、揺動軸の移動を規制する位置規制突部を形成するとともに、該位置規制突部の裏側に薄肉部を介して変形吸収穴を設けたことを特徴とする請求項１又は２記載の蓋体の開閉構造。
【発明の詳細な説明】
【技術分野】
【０００１】
本発明は、蓋体の開閉構造に関し、特に、開放操作片をロックすることにより、蓋体の不用意な開放を防止することができる蓋体の開閉構造に関するものである。
【背景技術】
【０００２】
例えば、内容物の密閉性を保つようにした収納容器として、容器本体の開口部に蓋体を揺動可能に取り付け、該蓋体の揺動側を容器本体に掛止することにより閉蓋するとともに、該蓋体の掛止部の近傍を、容器本体に軸支した開放操作片の受け片で受け、該開放操作片の揺動操作により押し出すようにした密閉容器がある。
【０００３】
使用に際しては、開放操作片を押すことにより揺動操作し、開放操作片の受け片で蓋体の掛止部の近傍を押し出すことにより蓋体を開き、容器本体から内容物を取り出すようにしている。
蓋体は、ばねによって開き側に付勢されており、掛止部を容器本体から離脱させると自動的に開き、この開放状態が保持される。
【０００４】
しかしながら、この従来の蓋体の開閉構造は、開放操作片を押せば蓋体が開くことから、例えば、誤って開放操作片が押された場合でも蓋体が開いてしまい、この開放状態が保持されることから、内容物が空気にさらされて変質したりするという問題があった。
【発明の開示】
【発明が解決しようとする課題】
【０００５】
本発明は、上記従来の蓋体の開閉構造が有する問題点に鑑み、開放操作片をロックすることにより、蓋体の不用意な開放を防止することができる蓋体の開閉構造を提供することを目的とする。
【課題を解決するための手段】
【０００６】
上記目的を達成するため、本発明の蓋体の開閉構造は、容器本体の開口部に蓋体を揺動可能に取り付け、該蓋体の揺動側を容器本体に掛止することにより閉蓋するとともに、該蓋体の掛止部の近傍を、容器本体に軸支した開放操作片の受け片で受け、該開放操作片の揺動操作により押し出すようにした蓋体の開閉構造において、開放操作片の揺動軸を枢支する容器本体の軸受穴を開放操作片の受け片側に延長するとともに、該開放操作片の揺動軸を軸受穴の延長部に移動したときに開放操作片の受け片が挿入される受け片受入部を容器本体に形成したことを特徴とする。
【０００７】
この場合において、開放操作片の揺動軸を枢支する容器本体の軸受穴の一方のみに開放操作片の受け片側に延長する延長部を形成することができる。
【０００８】
また、軸受穴と延長部の間に、揺動軸の移動を規制する位置規制突部を形成するとともに、該位置規制突部の裏側に薄肉部を介して変形吸収穴を設けることができる。
【発明の効果】
【０００９】
本発明の蓋体の開閉構造によれば、容器本体の開口部に蓋体を揺動可能に取り付け、該蓋体の揺動側を容器本体に掛止することにより閉蓋するとともに、該蓋体の掛止部の近傍を、容器本体に軸支した開放操作片の受け片で受け、該開放操作片の揺動操作により押し出すようにした蓋体の開閉構造において、開放操作片の揺動軸を枢支する容器本体の軸受穴を開放操作片の受け片側に延長するとともに、該開放操作片の揺動軸を軸受穴の延長部に移動したときに開放操作片の受け片が挿入される受け片受入部を容器本体に形成することから、開放操作片の揺動軸を軸受穴の延長部に移動させて、開放操作片の受け片を容器本体の受け片受入部に挿入することにより、開放操作片をロックして不用意な蓋体の開放を防止することができる。
【００１０】
この場合、開放操作片の受け片側に延長する延長部は、開放操作片の揺動軸を枢支する容器本体の軸受穴の一方のみに形成するようにし、他方の軸受穴は、開放操作片の一方の揺動軸を軸受穴の延長部に移動することができる程度に、他方の揺動軸を枢支するように形成することもでき、これにより、軸受穴の成型を簡易に行うことができるとともに、誤動作を防止することができる。
【００１１】
また、軸受穴と延長部の間に、揺動軸の移動を規制する位置規制突部を形成するとともに、該位置規制突部の裏側に薄肉部を介して変形吸収穴を設けることにより、開放操作片の揺動軸が移動するときに薄肉部が弾性変形し、位置規制突部が変形吸収穴側に逃げることができ、これにより、揺動軸の位置規制突部の乗り越えを円滑に行うとともに、乗り越えによる位置規制突部の欠けや損耗を抑制することができる。
【発明を実施するための最良の形態】
【００１２】
以下、本発明の蓋体の開閉構造の実施の形態を、図面に基づいて説明する。
【実施例１】
【００１３】
図１〜図７に、本発明の蓋体の開閉構造の一実施例を示す。
この蓋体の開閉構造は、容器本体１の開口部２に蓋体３を揺動可能に取り付け、該蓋体３の揺動側を容器本体１に掛止することにより閉蓋するとともに、該蓋体３の掛止部４の近傍を、容器本体１に軸支した開放操作片５の受け片６で受け、該開放操作片５の揺動操作により押し出すようにしている。
そして、この蓋体の開閉構造は、開放操作片５の揺動軸７を枢支する容器本体１の軸受穴８を開放操作片５の受け片６側に延長するとともに、該開放操作片５の揺動軸７を軸受穴８の延長部８１に移動したときに開放操作片５の受け片６が挿入される受け片受入部９を容器本体１に形成している。
【００１４】
容器本体１は、下部の受け皿１０が気密性を保持しながら着脱可能に嵌着されており、内容物（図示省略）の入れ替えができるように設けられている。
容器本体１の開口部２の周囲には、ゴム状弾性体、例えば、ポリオレフィン樹脂系エラストマーからなる周壁１１が立設されており、蓋体３に周設された受け壁部３１に、該周壁１１の先端部を嵌合することにより、閉蓋時の密閉性を容易に保持することが可能となる。
一方、容器本体１の前部には、開放操作片５を収容する収容部１２が凹設されており、この収容部の左右の垂壁には、開放操作片５の揺動軸７が嵌合する軸受穴８と、該軸受穴８を開放操作片５の受け片６側に延長した延長部８１とが設けられている。
軸受穴８と延長部８１の間には、揺動軸７の移動を規制する位置規制突部８２が形成されるとともに、該位置規制突部８２の裏側には、薄肉部８３を介して円孔状の変形吸収穴８４が設けられている。
このように、変形吸収穴８４を設けることにより、開放操作片５の揺動軸７が移動するときに薄肉部８３が弾性変形し、位置規制突部８２が変形吸収穴８４側に逃げることができる。これにより、揺動軸７の位置規制突部８２の乗り越えを円滑に行うとともに、乗り越えによる位置規制突部８２の欠けや損耗を抑制することができる。
また、容器本体１には、開放操作片５がその揺動軸７を軸受穴の延長部８１に移動したときに、開放操作片５の受け片６が挿入される受け片受入部９が形成されており、開放操作片５は、この受け片受入部９に受け片６を挿入することによりその揺動が阻止される。
【００１５】
蓋体３は、その後部が容器本体１の後部に枢着されるとともに、ねじりコイルばね１３により開き側に付勢されており、掛止部４を容器本体１から離脱させると自動的に開き、この開放状態が保持される。なお、このばね１３は、蓋体３を開き側に付勢するものであれば、他の弾性部材等で構成することもできる。
また、蓋体３には、受け壁部３１が２重の筒壁によって周設されており、この受け壁部３１に、容器本体１のエラストマーからなる周壁１１の先端部が嵌合することにより、閉蓋時の密閉性が保持される。
一方、蓋体３の前部には、先端付近に掛止部４を有する壁片１４が垂設されており、この壁片１４は、蓋体３を閉じた状態で開放操作片５の受け片６の上に載置される。
掛止部４は、壁片１４から内側に突出する突起からなり、この掛止部４を容器本体１の突起１５に掛止することにより蓋体３を閉じた状態に保持することができる。
また、開放操作片５がその受け片６で壁片１４を押し出すことにより、掛止状態が外れて蓋体３が開く。
【００１６】
開放操作片５は、その中間部から側方に１対の揺動軸７を突設するとともに、基部側に略水平に受け片６を突設している。
また、開放操作片５の揺動軸７は、容器本体１の軸受穴８に嵌合しており、この軸受穴８と軸受穴の延長部８１との間で移動が可能である。
開放操作片５の揺動軸７が軸受穴の延長部８１に移動するときには、開放操作片５の受け片６が容器本体１の受け片受入部９に挿入されることになり、開放操作片５は、この受け片受入部９に受け片６を挿入することによりその揺動が阻止される。
また、開放操作片５の下には、開放操作片５を揺動操作する際に、一緒につまむ摘み片１６が設けられており、この摘み片１６は、Ｌ字状に折曲された基部１６ａを容器本体１に差し込むことにより固定されている。
【００１７】
次に、本実施例の蓋体の開閉構造について、その操作方法を説明する。
まず、蓋体３が閉じられた状態から開口部２を開放しようとする場合、図２〜図３に示すように、開放操作片５をその揺動軸７が軸受穴の延長部８１から軸受穴８に移動するように引き出し、開放操作片５の受け片６を容器本体１の受け片受入部９から外に出す。
この際、揺動軸７は、軸受穴８の位置規制突部８２を乗り越えて移動するが、位置規制突部８２は、その下の薄肉部８３が弾性変形することにより、下の変形吸収穴８４側に逃げることができ、これにより、揺動軸７は、位置規制突部８２の乗り越えを円滑に行うとともに、乗り越えによる位置規制突部８２の欠けや損耗を抑制することができる。
【００１８】
開放操作片５は、受け片６が引き出されて受け片受入部９から出ると、図３に示すように、ロック状態が解除され揺動可能な状態となる。
この状態で、開放操作片５の先端側を押し下げると、図４に示すように、開放操作片５が揺動して、その受け片６が蓋体３の壁片１４を押し上げる。
これにより、壁片１４の掛止部４が容器本体１との掛止を解かれることから、蓋体３は、ばね１３の付勢力で開いて開口部２が開放される。
【００１９】
一方、蓋体３を閉じる場合は、揺動させた蓋体３を押し下げて閉めると、壁片１４の掛止部４が容器本体１に掛止することにより、蓋体３は閉蓋状態に保たれる。
この状態で、開放操作片５を揺動させれば再び蓋体３を開くことも可能であるが、ロック状態とするには、受け片６が蓋体３の壁片１４に押し下げられて略水平に復帰した開放操作片５を基部側に押し込むようにする。
具体的には、開放操作片５の揺動軸７を軸受穴８からその延長部８１に移動させることにより、開放操作片５の受け片６を容器本体１の受け片受入部９に挿入し、開放操作片５の揺動を阻止することにより、蓋体３の開放を防止する。
【００２０】
かくして、本実施例の蓋体の開閉構造は、容器本体１の開口部２に蓋体３を揺動可能に取り付け、該蓋体３の揺動側を容器本体１に掛止することにより閉蓋するとともに、該蓋体３の掛止部４の近傍を、容器本体１に軸支した開放操作片５の受け片６で受け、該開放操作片５の揺動操作により押し出すようにした蓋体の開閉構造において、開放操作片５の揺動軸７を枢支する容器本体１の軸受穴８を開放操作片５の受け片６側に延長するとともに、該開放操作片５の揺動軸７を軸受穴の延長部８１に移動したときに開放操作片５の受け片６が挿入される受け片受入部９を容器本体１に形成することから、開放操作片５の揺動軸７を軸受穴の延長部８１に移動させて、開放操作片５の受け片６を容器本体１の受け片受入部９に挿入することにより、開放操作片５をロックして不用意な蓋体３の開放を防止することができる。
【００２１】
この場合、軸受穴８と延長部８１の間に、揺動軸７の移動を規制する位置規制突部８２を形成するとともに、該位置規制突部８２の裏側に薄肉部８３を介して変形吸収穴８４を設けることにより、開放操作片５の揺動軸７が移動するときに薄肉部８３が弾性変形し、位置規制突部８２が変形吸収穴８４側に逃げることができ、これにより、揺動軸７の位置規制突部８２の乗り越えを円滑に行うとともに、乗り越えによる位置規制突部８２の欠けや損耗を抑制することができる。
【００２２】
ところで、上記実施例においては、開放操作片５の揺動軸７を枢支する容器本体１の軸受穴８の両方に開放操作片５の受け片６側に延長する延長部８１を形成するようにしたが、この延長部８１は、軸受穴８の一方のみに形成するようにし、他方の軸受穴は、開放操作片５の一方の揺動軸７を軸受穴８の延長部８１に移動することができる程度に、他方の揺動軸７を枢支するように形成することもできる。
これにより、他方の軸受穴の成型を簡易に行うことができるとともに、開放操作片５の引き出し量が不完全な状態での誤動作、特に、位置規制突部８２を形成した場合に揺動軸７の位置規制突部８２の乗り越えが２回になることによる誤認を防止することができる。
【００２３】
以上、本発明の蓋体の開閉構造について、その実施例に基づいて説明したが、本発明は上記実施例に記載した構成に限定されるものではなく、その趣旨を逸脱しない範囲において適宜その構成を変更することができる。
【産業上の利用可能性】
【００２４】
本発明の蓋体の開閉構造は、開放操作片をロックすることにより、蓋体の不用意な開放を防止するという特性を有していることから、例えば、蓋体の開放により内容物が変質するような密閉容器の用途に広く好適に用いることができる。
【図面の簡単な説明】
【００２５】
【図１】本発明の蓋体の開閉構造の一実施例を示す収納容器の断面図である。
【図２】同収納容器の要部拡大断面図である。
【図３】開放操作片をロック解除した状態を示す要部拡大断面図である。
【図４】開放操作片を揺動操作した状態を示す要部拡大断面図である。
【図５】同収納容器の正面図である。
【図６】同平面図である。
【図７】受け皿を省略した収納容器の底面図である。
【符号の説明】
【００２６】
１    容器本体
２    開口部
３    蓋体
３１  受け壁部
４    掛止部
５    開放操作片
６    受け片
７    揺動軸
８    軸受穴
８１  延長部
８２  位置規制突部
８３  薄肉部
８４  変形吸収穴
９    受け片受入部
１０  受け皿
１１  周壁
１２  収容部
１３  ばね
１４  壁片
１５  突起
１６  摘み片
【図１】
2008143575.tif 000003
【図２】
2008143575.tif 000004
【図３】
2008143575.tif 000005
【図４】
2008143575.tif 000006
【図５】
2008143575.tif 000007
【図６】
2008143575.tif 000008
【図７】
2008143575.tif 000009